(57)【要約】【課題】バックライトアセンブリ用端子、これを有するバックライトアセンブリ及びこれを有する表示装置が開示される。【解決手段】本発明の端子は、支持板と、支持板の側面から突出するように形成されて電線を挟む保持部材と、支持板の上端部から上部に延長し、折り曲げられることによってバックライトアセンブリのランプの電極を挟む接続部と、接続部から上部に突出するように延長され、支持板の一部とオーバーラップする挿入部と、で構成され、保持部材は、支持板の両側面から長方形の形状に突出するように形成される。このような構成によって、挿入部によって接続部が拡げられることによるランプの離脱を防止する効果を有する。【選択図】図１
2008282806.tif 000002
【特許請求の範囲】
【請求項１】
支持板と、
前記支持板の側面から突出するように形成されて電線を挟む保持部材と、
前記支持板の上端部から上部に延長し、折り曲げられることによって前記バックライトアセンブリのランプの電極を挟む接続部と、
前記接続部の上部から突出するように延長され、前記支持板の一部とオーバーラップする挿入部と、
を含むことを特徴とするバックライトアセンブリ用端子。
【請求項２】
前記挿入部が前記電線の心線と前記支持板に接触されることを特徴とする請求項１に記載のバックライトアセンブリ用端子。
【請求項３】
前記挿入部が前記電線の心線及び前記支持板の間に配置することを特徴とする請求項１に記載のバックライトアセンブリ用端子。
【請求項４】
前記支持板が長方形状であり、前記保持部材が前記支持板と一体に形成されることを特徴とする請求項１に記載のバックライトアセンブリ用端子。
【請求項５】
前記保持部材は、前記支持板の両側面から長方形の形状に突出するように形成されることを特徴とする請求項１に記載のバックライトアセンブリ用端子。
【請求項６】
前記挿入部の幅が前記接続部の幅より小さいことを特徴とする請求項１に記載のバックライトアセンブリ用端子。
【請求項７】
前記保持部材は、折り曲げられることによって前記電線の心線と前記挿入部を挟む第１保持板を含むことを特徴とする請求項１に記載のバックライトアセンブリ用端子。
【請求項８】
前記保持部材は、前記支持板の両側面から突出する２枚の第１保持板を含むことを特徴とする請求項７に記載のバックライトアセンブリ用端子。
【請求項９】
前記保持部材は、折り曲げられることによって前記電線の被覆を挟む第２保持板を含むことを特徴とする請求項７に記載のバックライトアセンブリ用端子。
【請求項１０】
前記保持部材は、前記支持板の両側面から突出する２枚の第２保持板を含むことを特徴とする請求項９に記載のバックライトアセンブリ用端子。
【請求項１１】
前記接続部の内側面には、クリームはんだが一定の厚さに塗布されたクリームはんだ層が形成されることを特徴とする請求項１に記載のバックライトアセンブリ用端子。
【請求項１２】
前記クリームはんだ層は、ロジンを含むことを特徴とする請求項１１に記載のバックライトアセンブリ用端子。
【請求項１３】
前記クリームはんだ層が前記挿入部の内面まで延びることを特徴とする請求項１１に記載のバックライトアセンブリ用端子。
【請求項１４】
前記接続部の内面上に突出部が形成されることを特徴とする請求項１に記載のバックライトアセンブリ用端子。
【請求項１５】
電極を含むランプと、
電源を前記ランプに伝達する電線と、
支持板と、前記支持板の側面から突出するように形成されて前記電線を挟む保持部材と、前記支持板の上端部から上部に延び、折り曲げられることによって前記ランプの電極を挟む接続部と、前記接続部の内側面にクリームはんだが一定の厚さに塗布されたクリームはんだ層と、を含み、前記ランプと前記電線との間に接続される端子と、
を含むことを特徴とするバックライトアセンブリ。
【請求項１６】
前記端子は、前記接続部の上部から突出するように延びる挿入部を更に含み、
前記挿入部が前記支持板の一部とオーバーラップすることを特徴とする請求項１５に記載のバックライトアセンブリ。
【請求項１７】
電極を含むランプと、
電源を前記ランプに伝達する電線と、
支持板と、前記支持板の側面から突出するように形成されて前記電線を挟む保持部材と、前記支持板の上端部から上部に延び、折り曲げられることによって前記ランプの電極を挟む接続部と、前記接続部から上部に突出するように延びられ、前記支持板の一部とオーバーラップする挿入部を含み、前記ランプと前記電線との間に接続される端子と、を含むことを特徴とするバックライトアセンブリ。
【請求項１８】
前記挿入部が前記電線の心線及び前記支持板に接触することを特徴とする請求項１７に記載のバックライトアセンブリ。
【請求項１９】
前記収納部は、前記電線の心線と前記支持板との間に配置されることを特徴とする請求項１７に記載のバックライトアセンブリ。
【請求項２０】
前記接続部の内側面にクリームはんだが一定の厚さに塗布されたクリームはんだ層を更に含むことを特徴とする請求項１７に記載のバックライトアセンブリ。
【請求項２１】
電極を含むランプと、電源を前記ランプに伝達する電線と、支持板、前記支持板の側面から突出するように形成されて前記電線を挟む保持部材、前記支持板の上端部から上部に延び、折り曲げられることによって前記ランプの電極を挟む接続部、 及び前記接続部の内側面にクリームはんだが一定の厚さに塗布されたクリームはんだ層を含み、前記ランプと前記電線との間に接続される端子と、を含むバックライトアセンブリと、
前記バックライトアセンブリ上に配置され、前記バックライトアセンブリから生成された光を用いて画像を表示する表示パネルと、を含むことを特徴とする表示装置。
【請求項２２】
前記接続部から上部に突出するように延びられ、前記支持板の一部とオーバーラップする挿入部を更に含むことを特徴とする請求項２１に記載の表示装置。
【発明の詳細な説明】
【技術分野】
【０００１】
本発明は、バックライトアセンブリ用端子、これを有するバックライトアセンブリ、及びこれを有する表示装置に係り、より詳細には、ランプの電極との結合が堅固になり、ランプと結合する過程において薄板からなる折り曲げられた端子が容易に拡げられることによるランプの離脱を防止するバックライトアセンブリ用端子、これを有するバックライトアセンブリ、及びこれを有する表示装置に関する。
【背景技術】
【０００２】
一般的に液晶表示装置（ＬＣＤ；Ｌｉｑｕｉｄ  Ｃｒｙｓｔａｌ  Ｄｅｖｉｃｅ）とは、液晶の有する多様な性質のうち、電圧を加えると液晶の分子の配列が変わる性質を用いて画像を表示する装置であって、２枚の薄いガラス基板間に液晶を注入し、透明な電極を通じて電圧を加えて液晶の分子の配列方向を変えて液晶の光透過率を変え、光を通過させるか反射させて画像を表示する。液晶表示装置は、他の表示装置に比べて薄く形成することができ、消費電力が少ない。
【０００３】
このような液晶表示装置は、自身が発光しない受光型（Ｎｏｎ−ｅｍｉｓｓｉｖｅ  ｔｙｐｅ）表示素子であるので、別途の光源が必要である。周辺の光源を用いる反射型液晶表示装置もあるが、その場合、表示される画像が液晶表示装置の周辺の影響を受けるため、周辺環境による使用上の制約が多くなる。したがって、液晶表示装置は、独立した光源を有する。
【０００４】
このような独立的な光源をバックライトといい、光源としてはＥＬ（ｅｌｅｃｔｒｏ  ｌｕｍｉｎｅｓｃｅｎｃｅ）、ＬＥＤ（ｌｉｇｈｔ  ｅｍｉｔｔｉｎｇ  ｄｉｏｄｅ）、ＣＣＦＬ（ｃｏｌｄ  ｃａｔｈｏｄｅ  ｆｌｕｏｒｅｓｃｅｎｔ  ｌａｍｐ）、ＨＣＦＬ（ｈｏｔ  ｃａｔｈｏｄｅ  ｆｌｕｏｒｅｓｃｅｎｔ  ｌａｍｐ）などを用いる。このうち、ＣＣＦＬ（冷陰極蛍光灯）は、寿命が長くて消費電力が低く、薄く形成することができるので、広く用いられている。
【０００５】
冷陰極蛍光灯は、液晶表示装置の上端部と下端部とにそれぞれ装着される。装着された冷陰極蛍光灯は、端子によって電線と接続されて電源の供給を受ける。液晶表示装置の構造によって電線は蛍光灯と垂直に接続される。蛍光灯の電極と電線とは、金属材質からなる端子によって接続される。
【０００６】
従来技術による端子は、薄い金属薄板を切断し折り曲げて形成され、蛍光灯の電極が挿入される挿入部材及び電線を保持して接続する接続部材などで構成される。
【０００７】
しかし、金属薄板を折り曲げられて成型される従来技術による端子は、蛍光灯と電線とを連結する組立て過程において四角形状に折り曲げられた挿入部材が拡げられて蛍光灯の電極が離脱するという問題点がある。
【発明の開示】
【発明が解決しようとする課題】
【０００８】
よって、本発明は前述したような問題点を解決するために創案したものであって、本発明の目的はランプの電極が挿入される部分が拡げられることによるランプの電極の離脱を防止することによって不良率が低下するバックライトアセンブリ用端子を提供することにある。
【０００９】
また、本発明の目的は、前記端子を有するバックライトアセンブリを提供することにある。
【００１０】
なお、本発明の目的は、前記バックライトアセンブリを有する表示装置を提供することにある。
【課題を解決するための手段】
【００１１】
このような前記目的は本発明によって達成され、本発明の一実施形態によると、 金属板材を切断して折り曲げて成型されるバックライトアセンブリ用端子は、支持板と、支持板の側面から突出するように形成されて電線を挟んで固定する保持部材と、支持板の上端部から上部に延長され、折り曲げることによってバックライトアセンブリのランプの電極を挟む接続部と、接続部から上部に突出するように延長され、支持板の一部と重なる挿入部と、を含むことを特徴とする。
【００１２】
挿入部は電線の心線と支持板に接触されてもよい。挿入部が心線と支持板との間に配置してもよい。
【００１３】
支持板が長方形であってもよく、保持部材が支持板と一体に形成されてもよい。
【００１４】
また、保持部材は、支持板の両側面から長方形の形状に突出するように形成されてもよい。
【００１５】
挿入部の幅が接続部の幅より小さくてもよい。
【００１６】
保持部材は、折り曲げられることによって電線の心線と挿入部とを挟んで固定する第１保持板を含んでもよい。保持部材は、支持板の両側面から突出する２枚の第１保持板を含んでもよい。保持部材は、折り曲げられることによって電線の被覆を挟んで電線を固定する第２保持板を含んでもよい。保持部材は、支持板の両側面から突出する２枚の第２保持板を含んでもよい。
【００１７】
また、接続部の内側面には、クリームはんだ（ｃｒｅａｍ  ｓｏｌｄｅｒ）が一定の厚さに塗布されたクリームはんだ層が形成されてもよい。クリームはんだ層は、ロジン（ｒｏｓｉｎ）を含んでもよい。クリームはんだ層は収納部の内面まで延びてもよい。
【００１８】
接続部の内側面には、突出部が形成されてもよい。
【００１９】
本発明の他の実施形態によるバックライトアセンブリは、ランプと、電源をランプに伝達する電線と、ランプと電線との間に接続された端子とを含む。端子は、支持板、支持板の側面から突出するように形成されて電線を挟む保持部材、支持板の上端部から上部に延び、折り曲げられることによってバックライトアセンブリのランプの電極を挟む接続部、接続部から上部に突出するように延び、支持板の一部と重なる挿入部と、を含む。クリームはんだ層が接続部の内面上に形成することができる。
【００２０】
前記バックライトアセンブリは、前記接続部から上部に突出するように延び、前記支持板の一部とオーバーラップする収納部をさらに含むことができる。
本発明の他の実施例によるバックライトアセンブリは、ランプ、電線、及び端子を含む。 前記ランプは電極を含み、前記電線は、電源を前記ランプに伝達する。前記端子は、支持板と、前記支持板の側面から突出するように形成されて前記電線を挟む保持部材と、前記支持板の上端部から上部に延び、折り曲げられることによって前記ランプの電極を挟む接続部と、前記接続部から上部に突出するように延びられ、前記支持板の一部とオーバーラップする挿入部を含み、前記ランプと前記電線との間に接続される。
前記接続部の内側面には、クリームはんだが一定の厚さに塗布されたクリームはんだ層が形成される。
本発明の更に他の実施例による表示装置は、バックライトアセンブリ及び表示パネルを含む。前記ランプは電極を含み、前記電線は電源を前記ランプに伝達する。前記端子は、支持板と、前記支持板の側面から突出するように形成されて前記電線を挟む保持部材と、前記支持板の上端部から上部に延び、折り曲げられることによって前記ランプの電極を挟む接続部と、前記接続部の内側面にクリームはんだが一定の厚さに塗布されたクリームはんだ層と、を含み、前記ランプと前記電線との間に接続される。前記表示パネルは、前記バックライトアセンブリ上に配置され、前記バックライトアセンブリから生成された光を用いて画像を表示する。前記表示装置は、前記接続部から上部に突出するように延びられ、前記支持板の一部とオーバーラップする挿入部を更に含むことができる。
【発明の効果】
【００２１】
前記のような本発明の構成によって、クリームはんだ層によってランプの電極が接続部に堅固に固定され、また挿入部によって接続部が拡げられることによるランプの離脱を防止することができる。
【発明を実施するための最良の形態】
【００２２】
以下、図面を参照して本発明の望ましい実施形態を詳細に説明し、図面において同一の部分に対しては同一の図面符号を付与する。
【００２３】
図１は、本発明の一実施形態による端子の斜視図であり、図２は、図１の接触端子の展開図である。
【００２４】
図示したように、図面符号１０で示した本発明によるバックライトアセンブリ用端子は、接続部５０、挿入部６０、及び保持部材３０などで成型される。
【００２５】
本発明による端子１０は、金属薄板を図２に示したように切断し、切断した金属板を折り曲げて図１の斜視図のように成型する。図示するように、長方形の形状の支持板２０と支持板２０の両側面から突出するように一対の第１保持板３１と第２保持板３２とが形成され、支持板２０の上部には接続部５０が形成され、接続部５０の端部には挿入部６０が形成される。本実施形態で、挿入部６０の幅は、接続部５０の幅より小さい。挿入部６０は、電線２００の心線２５０と支持板２０との間に配置され、心線２５０及び支持板２０に接触する。例えば、接続部５０の内面上に突起またはエンボシングパターンを形成し、接続部５０とランプの電極３５０との結合をより堅固にしてもよい。接続部５０の内面上に突起またはエンボシングパターンが形成される場合、接続部５０の内面の残りの部分とランプの電極３５０との間の空間はクリームはんだ層７０によって満たされてもよい。
【００２６】
クリームはんだ層７０は、接続部５０とランプの電極３５０との接着力を向上させる。他の実施形態において、接続部５０がクリームはんだ層７０を通じてランプの電極３５０に固定されることにより、挿入部６０は省略されてもよい。
【００２７】
図示したように、接続部５０は円形に折り曲げられ、挿入部６０に隣接する前記円形に折り曲げられた部分の端部で支持板２０とオーバーラップするように形成され、一対の第１保持板３１は、電線２００の心線２５０を挟んで保持し、一対の第２保持板３２は電線２００の被覆を挟んで保持して電線２００を固定する（図５参照）。
【００２８】
そして、接続部５０にはランプの電極３５０が挿入されて装着される。図３に示すように、接続部５０の内部面にはクリームはんだが塗布されクリームはんだ層７０が形成される。しかし、接続部５０の内部面にクリームはんだを塗布しにくい場合には、電極３５０の外側面にクリームはんだを塗布して挿入するようにしてもよい。クリームはんだ層７０が収納部６０の内面まで延びてもよい。
【００２９】
クリームはんだは、電子部品の接合に用いられ、粉末状又は液状のはんだとペースト（ｐａｓｔｅ）状のフラックス（ｆｌｕｘ）とを一定割合に均一に混合して形成される。クリームはんだに含まれるフラックスは、昔から松柏科植物から分泌されるテルペンチンから揮発性のテレピン油を除去することによって生成されるロジン（ｒｏｓｉｎ）樹脂を主成分にして製造される。ロジン樹脂は、アビエチン酸（ａｂｉｅｔｉｃ  ａｃｉｄ）を主成分に含む。ロジン樹脂は、耐熱性、安全性、経済性において優れており、フラックスのみならず、多様な用途で用いられる。そのうち、はんだ付けのためのフラックスにおいては、多くの場合に、ロジン樹脂を主成分とするロジン系フラックスが用いられてきた。従来には、鉛（Ｐｂ）を含む合金組成物を用いたが、最近、鉛による環境汚染の問題になっていることに応じて、人体に有害な鉛を用いないはんだ合金の開発が要求されており、これによって、多様な無鉛はんだ合金組成物が開発されている、本発明で用いられるクリームはんだも無鉛はんだを用いることが望ましい。
【００３０】
このようなクリームはんだ層７０が形成されたランプの電極を接続部に挿入して熱を加えて固める。このように固められたクリームはんだによってランプの電極が接続部に固定されるだけでなく、電気的接触も向上する。
【００３１】
そして、図６に示すように、一対の第１保持板は、電線２００の心線２５０を装着した後に内部に折り曲げられて心線に圧着されて心線を挟み、第２保持板は、電線の被覆を囲むように折り曲げられて電線の被覆を挟む。即ち、電線の心線２５０は第１保持板によって電気的に接続され、また心線の下部には接続部と連結される挿入部が装着されており共に挟まれる。このように挿入部が心線とともに第１保持板によって挟まれて固定されるので、作業中に接続部の空間が空くことを防止できる。
【００３２】
図７は、図５及び図６に示した端子を含む表示装置を説明するための分解斜視図である。
【００３３】
図７を参照すると、表示装置は、バックライトアセンブリ４００及び表示パネル５００を含む。
【００３４】
バックライトアセンブリ４００は、ランプ３００、電源をランプに伝達する電線２００、ランプ３００と電線２００との間に接続された端子３０、導光板４１０、及び光学シート４２０を含む。本実施形態において、端子は図１乃至図６に示した端子と同一であるので、重複する説明は省略する。
【００３５】
ランプ３００は、導光板４１０の側面上に配置される。ランプ３００で生成され導光板４１０の側面を通じて入射された光は、導光板４１０によって平面光に変わって光学シート４２０に出射される。本実施形態において、バックライトアセンブリ４００は、エッジライト型バックライトアセンブリである。ここで、バックライトアセンブリが拡散板（図示せず）及び拡散板の下部に配置された複数個のランプを含む直下型バックライトアセンブリであってもよい。
【００３６】
表示パネル５００は、バックライトアセンブリ４００上に配置され、バックライトアセンブリ４００から生成された光を用いて画像を表示する。
【００３７】
以上、本発明の実施形態を詳細に説明したが、本発明はこれに限定されず、本発明が属する技術分野において通常の知識を有するものであれば本発明の思想と精神を離脱することなく、本発明を修正または変更できる。
【図面の簡単な説明】
【００３８】
【図１】本発明の一実施形態による端子の斜視図である。
【図２】図１の端子の展開図である。
【図３】ランプと電線とを接続する過程を説明するための図である。
【図４】ランプと電線とを接続する過程を説明するための図である。
【図５】図１に示した端子が接続された状態を示す斜視図である。
【図６】図１に示した端子が接続された状態を示す断面図である。
【図７】図５及び図６に示した端子を含む表示装置を説明するための図である。
【符号の説明】
【００３９】
１０    端子
２０    支持板
３０    保持部材
３１    第１保持板
３２    第２保持板
５０    接続部
６０    挿入部
７０    クリームはんだ層
２００    電線
２５０    心線
３００    ランプ
３５０    電極
【図１】
2008282806.tif 000003
【図２】
2008282806.tif 000004
【図３】
2008282806.tif 000005
【図４】
2008282806.tif 000006
【図５】
2008282806.tif 000007
【図６】
2008282806.tif 000008
【図７】
2008282806.tif 000009